(57)【要約】【課題】飛沫の拡散を防ぎつつ食事を摂ることができ、簡単かつ安価に作成することができるデザイン性に優れたフェイスシールドを提供する。【解決手段】折り曲げ可能なシートにより構成されたフェイスシールド１００であって、一対の板状のガード要素１１が基端側から先端側に向かって延びる第１山折り線ＭＦ１をなすガード部１と、前記ガード部１に対して前記第１山折り線ＭＦ１に対して基端側から斜めに交差する一対の第２山折り線ＭＦ２をなすとともに、前記第１山折り線ＭＦ１の基端に連なって延びる第１谷折り線ＶＦ１が形成されたフレーム部２と、を備えた。【選択図】図1
0003228753.tif 000002
【実用新案登録請求の範囲】
【請求項１】
折り曲げ可能なシートにより構成されたフェイスシールドであって、
一対の板状のガード要素が基端側から先端側に向かって延びる第１山折り線をなすガード部と、
前記ガード部に対して前記第１山折り線に対して基端側から斜めに交差する一対の第２山折り線をなすとともに、前記第１山折り線の基端に連なって延びる第１谷折り線が形成されたフレーム部と、を備えたことを特徴とするフェイスシールド。
【請求項２】
前記フレーム部が、前記ガード部の各ガード要素と前記第２山折り線をそれぞれなす一対の板状のフレーム要素を具備し、
使用時において前記ガード要素と前記フレーム要素とが面として所定角度をなすように構成された請求項１記載のフェイスシールド。
【請求項３】
前記一対のフレーム要素が、前記第１谷折り線をなし、
使用時において前記一対のフレーム要素が面として所定角度をなすように構成された請求項２記載のフェイスシールド。
【請求項４】
前記一対のガード要素同士が近接可能であるとともに、前記一対のフレーム要素同士が近接可能に構成された請求項２又は３記載のフェイスシールド。
【請求項５】
前記第１谷折り線と交差する第２谷折り線を前記フレーム部の基端側となす補強部をさらに備え、
使用時において前記補強部がフレーム部に対して当接するように構成された請求項１乃至４いずれかに記載のフェイスシールド。
【請求項６】
前記補強部が前記フレーム部に対して当接している状態で、前記補強部の一部が前記フレーム部の外側にはみ出るように構成された請求項５記載のフェイスシールド。
【請求項７】
前記補強部に一対の貫通穴が形成された請求項６記載のフェイスシールド。
【請求項８】
前記ガード部の先端側角部がラウンド形状をなす請求項１乃至７いずれかに記載のフェイスシールド。
【請求項９】
前記シートが１枚の紙である請求項１乃至８いずれかに記載のフェイスシールド。
【考案の詳細な説明】
【技術分野】
【０００１】
本考案は、折り曲げ可能なシートにより構成されたフェイスシールドに関するものである。
【背景技術】
【０００２】
例えばＣＯＶＩＤ−１９等のウイルスの感染拡大を防ぐために、マスクやフェイスシールドが使用される。このような目的に使用されるフェイスシールドとして特許文献１では、頭部の周囲に固定されるフレーム部と、フレーム部に対して真下へ垂下された状態で固定され、顔面から数ｃｍ程度離した状態でほぼ全面を覆うように設けられた透明プラスチックシートからなるガード部と、を備えたものが開示されている。
【０００３】
また、非特許文献１では、顔面のほぼ全面を覆う事が可能なフェイスシールドを３Ｄプリンタによって成形した１枚のＰＥＴシートを折り曲げて組み立てることが提案されている。
【先行技術文献】
【特許文献】
【０００４】
【特許文献１】実用新案登録第3227109号公報
【非特許文献】
【０００５】
【非特許文献１】デザインと3Dのプロが伝える3Dプリンタや最新テクノロジー 3DP id.artsサイト|1枚のPETシートから作製可能な安価でシンプルなフェイスシールド「Simple face shield」、［令和２年８月２３日検索］、インターネット〈https://idarts.co.jp/3dp/adam-miklosi-simple-face-shield/〉
【考案の概要】
【考案が解決しようとする課題】
【０００６】
しかしながら、上記のような各フェイスシールドは例えば医療現場等で用いるために顔面の全体が覆われているので、装着しながら食事をすることは難しい。加えて、日常において用いることができるほどのファッション性は実現しにくい。
【０００７】
また、非特許文献１に記載のフェイスシールドは、１枚のＰＥＴシートから作成可能といっても３Dプリンタにより差し込み構造等の複雑な形状を作成することが前提となっており、簡単かつ安価に作成できるとは言い難い。
【０００８】
本考案は上述したような問題に鑑みてなされたものであり、飛沫の拡散を防ぎつつ食事を摂ることができ、簡単かつ安価に作成することができるファッション性に優れたフェイスシールドを提供することを目的とする。
【課題を解決するための手段】
【０００９】
すなわち、本考案に係るフェイスシールドは、折り曲げ可能なシートにより構成されたフェイスシールドであって、一対の板状のガード要素が基端側から先端側に向かって延びる第１山折り線をなすガード部と、前記ガード部に対して前記第１山折り線に対して基端側から斜めに交差する一対の第２山折り線をなすとともに、前記第１山折り線の基端に連なって延びる第１谷折り線が形成されたフレーム部と、を備えたことを特徴とする。
【００１０】
このようなものであれば、シートを折り曲げるだけで前記フレーム部に対して前記ガード部を先端側に突き出しながら斜め下方へと垂れ下げた状態に組み立てることができる。したがって、前記フレーム部を鼻と口との間に装着すれば、口の前方側は前記ガード部で覆いながら、前記ガード部の下側は十分な広さで開放された状態にできる。このため、会話をする場合には飛沫は前記ガード部の内側面で遮られるようにしながら、前記ガード部の下方からは食べ物を口元へと運びやすくできる。すなわち、装着者は飛沫の拡散は防ぎながら容易に食事をすることができる。
【００１１】
また、前記第１山折り線によって前記一対のガード要素が傘状をなすとともに、前記第１谷折り線によって前記フレーム部が前記ガード部の内側面側に押し込まれた形となる。このため、構造体として折り曲げられた状態の形状を保てる強度を出しやすい。
【００１２】
加えて、同一の素材で立体構造を形成しているとともに、デザインと素材がシンプルなので、バリエーション展開も容易である。例えば子供向けや女性向けといった対象を限定した形状や大きさにフェイスシールドを構成できる。より具体的には前記第２山折り線が前記第１山折り線に入射する角度を調整することで、前記ガード部の形状や大きさを調整することができる。また、例えば組み立て前のシート状態において前記ガード部の外側面となる部分に予め印刷することも容易である。これらのことから、従来のフェイスシールドよりもファッション性を良くしやすい。
【００１３】
さらに、折り曲げ具合を調節することでフェイスシールドとして機能する立体状態だけでなく、小さく折りたたまれた収納状態にすることもできる。このため、使用せずに携帯する場合やストックとして保管しておく場合に場所を取らない。
【００１４】
また、シートの材料を例えば紙等にすれば、山折り線や谷折り線を予め形成するのが容易であり、印刷等も行いやすく、フェイスシールドを安価に提供できるようになる。このため、フェイスシールドを使い捨てたり、ノベルティとして提供したりするといった事が可能となる。また、この紙でフェイスシールドを構成している場合にはＰＥＴシート等を用いて構成している場合と比較して使い捨てたとしても環境に優しい。
【００１５】
使用時において前記ガード部が前記第１山折り線を稜線とする山形状をなすとともに、前記ガード部を前記フレーム部に対して突き出た状態を保てるようにするための具体的な態様としては、前記フレーム部が、前記ガード部の各ガード要素と前記第２山折り線をそれぞれなす一対の板状のフレーム要素を具備し、使用時において前記ガード要素と前記フレーム要素とが面として所定角度をなすように構成されたものが挙げられる。
【００１６】
前記フレーム部が前記第１谷折り線を頂点とする概略Ｖ字状をなし、立体形状を保つための強度を高められるようにするには、前記一対のフレーム要素が、前記第１谷折り線をなし、使用時において前記一対のフレーム要素が面として所定角度をなすように構成されたものであればよい。
【００１７】
フェイスシールドを使用しない場合や収納時に小さく折り畳めるようにするには、前記一対のガード要素同士が近接可能であるとともに、前記一対のフレーム要素同士が近接可能に構成されたものであればよい。このようなものであれば単純にシートとして展開した場合と比較して少なくとも半分程度の面積まで折りたたむ事が可能となる。
【００１８】
前記フレーム部の強度をさらに高めて、前記ガード部が前記フレーム部から先端側に斜め下方に垂れ下がった状態をより保ちやすくするには、前記第１谷折り線と交差する第２谷折り線を前記フレーム部の基端側となす補強部をさらに備え、前記補強部がフレーム部に対して当接するように構成されたものであればよい。このようなものであれば、前記フレーム部と前記補強部を重ね合わせて厚みを大きくして強度を高めることができる。
【００１９】
フェイスシールドを装着している状態で見た場合に前記補強部が前記ガード部から一部がはみ出て耳のように見えるようにしてファッション性を良くするには、前記補強部が前記フレーム部に対して当接している状態で、前記補強部の一部が前記フレーム部の外側にはみ出るように構成されたものであればよい。
【００２０】
例えばマスクの耳掛けのようにゴムや紐によってフェイスシールドを顔面に固定できるようにするには、前記補強部に一対の貫通穴が形成されたものであればよい。
【００２１】
前記ガード部の見栄えを良くするとともに、他者に対して前記ガード部が当たっても痛くなるくなるようにするには、前記ガード部の先端側角部がラウンド形状をなすものであればよい。
【００２２】
製造コストを低減できるとともに、デザインの自由度を高められ、例えばノベルティ等としての使い勝手をさらによくするには、前記シートが１枚の紙であればよい。
【考案の効果】
【００２３】
本考案に係るフェイスシールであれば、シートを折り曲げることによって顔面に当接する前記フレーム部に対して所定の角度で先端側へ斜め下方に垂れ下がるように前記ガード部を配した立体形状を形成できる。このため、飛沫の拡散を防げるようにしながら、前記ガード部の下方には十分な広さの開口を形成できるのでフェイスシールドを装着しながら食事をすることが容易となる。また、シートを折り曲げるだけでフェイスシールドを構成できるので、安価にすることができる。さらに、シートに印刷することで様々なデザインにすることができる。加えて、折りたたむことでコンパクトな形状にすることもでき、携帯や収納がしやすい。したがって、例えばノベルティ等として配布するのに適したフェイスシールドにできる。
【図面の簡単な説明】
【００２４】
【図１】本考案の一実施形態におけるフェイスシールドの組み立て前のシート状態を示す模式図。
【図２】同実施形態におけるフェイスシールドの組み立てた状態を示す模式的斜視図。
【図３】同実施形態におけるフェイスシールドの装着状態を示す模式図。
【図４】同実施形態におけるフェイスシールドの折り畳んだ状態を示す模式図。
【図５】同実施形態におけるフェイスシールドの別の装着態様を示す模式図。
【考案を実施するための形態】
【００２５】
本考案の一実施形態に係るフェイスシールド１００について各図を参照しながら説明する。ここで、図１において一点鎖線は山折り線を示し、鎖線は谷折り線を示す。また、図２乃至５において鎖線は隠れ線を示す。
【００２６】
＜実施形態の構成の説明＞
【００２７】
本実施形態のフェイスシールド１００は、図１に示す１枚の折り曲げ可能な概略長方形状のシートを図２に示すように立体形状に折り込むことにより構成されるものである。この実施形態ではシートは所定の厚みを有した厚紙である。
【００２８】
このフェイスシールド１００は、口から飛び出す飛沫を遮り、飛沫の周囲への拡散を防ぐガード部１と、ガード部１を支えるとともに顔面の取り付けられるフレーム部２と、フレーム部２の強度を高めるための補強部３と、を備えている。以下の説明ではフェイスシールド１００において顔面に取り付けられる側を基端側とよび、その反対側を先端側とよぶ。
【００２９】
ガード部１は、立体形状に組み立てられた状態において図２に示すように概略三角屋根形状をなす部分であり、一対の平板状のガード要素１１により中央部に基端側から先端側に延びる第１山折り線ＭＦ１が形成される。図１の展開図に示すように一対のガード要素１１は第１山折り線ＭＦ１を基準線として左右対称に設けられるものであり、それぞれ１つの底角の１つが丸められた概略台形状をなす。このガード部１はシートにおいて最も広い面積を占める。
【００３０】
フレーム部２は、図１に示すようにシートにおいてガード部１に隣接する領域により形成されるものであり、シート状の状態では各底角が若干切り落とされた概略二等辺三角形状をなすものである。また、フレーム部２の中央部には前述した第１山折り線ＭＦ１の基端に連なって、一直線をなすように延びる第１谷折り線ＶＦ１が基端側から先端側に向かって延びている。フレーム部２はこの第１谷折り線ＶＦ１を基準線として左右対称に設けられた一対のフレーム要素２１を具備している。各フレーム要素２１は第１谷折り線ＶＦ１を底辺とする台形状をなすとともに、各フレーム要素２１と各ガード要素１１はそれぞれ第２山折り線ＭＦ２をなす。この第２山折り線ＭＦ２はシートの中央に形成される第１谷折り線ＶＦ１に対して基端側から斜めに入射するように設けられる。
【００３１】
すなわち、第１山折り線ＭＦ１、第２山折り線ＭＦ２、第１谷折り線ＶＦ１に沿ってガード部１とフレーム部２とを折り曲げると、図２に示すように各フレーム要素２１は各ガード要素１１に対して面として所定角度をなして交差する。また、立体状態ではフレーム部２は第１谷折り線ＶＦ１がガード部１側へと突出した状態となる。また、第１山折り線ＭＦ１に対する第２山折り線ＭＦ２の入射角度を浅くしたり、深くしたりすることで、立体形状とした場合におけるフレーム部２の第１谷折り線ＶＦ１の突出角度を調節できる。例えば顔面の周方向の丸みに応じて装着しやすいように第２山折り線ＭＦ２の斜めの入射角度を調節できる。
【００３２】
補強部３は、図１に示すようにシートにおいてフレーム部２に隣接する領域により形成されるものであり、概略長方形状をなすものである。補強部３の中央部には第１谷折り線ＶＦ１の基端に連なって一直線をなす第３山折り線ＭＦ３と、第３山折り線ＭＦ３の基端に連なって一直線をなす第３谷折り線ＶＦ３が形成される。また、第３山折り線ＭＦ３及び第３谷折り線ＶＦ３の接続点には各線と直交するように第４山折り線ＭＦ４が形成される。第３山折り線ＭＦ３、第４山折り線ＭＦ４、第２谷折り線ＶＦ２を折り込むことによって、補強部３はフレーム部２の高さよりも若干高い長尺長方形状をなし、フレーム部２に重ね合わされる。すなわち、フレーム部２の厚みを他の部分よりも厚くして立体形状にした場合の強度を高めている。図２に示すように折り込むことにより立体形状とした場合には補強部３のシート外側部分の一部はガード部１の外側面よりも上側にはみ出るように構成されている。言い換えると、補強部３はガード部１から耳が出ているような状態をなし、フレーム部２の強度を高めるだけでなく、ファッション性も高めている。この補強部３において耳となる、はみ出ている部分には貫通穴ＴＨが一対形成されており、貫通穴ＴＨにはフェイスシールド１００を顔面に固定するためのゴムや紐が通される。
【００３３】
＜実施形態の効果の説明＞
【００３４】
このように構成されたフェイスシールド１００は、立体形状に折られた状態において図３に示すようにフレーム部２及び補強部３が例えば鼻と口との間に当接するように取り付けられて、口元が装着者の向かい側からは完全に隠れるように装着される。このような状態であれば会話をしたとしても口から飛び出る唾等の飛沫はガード部１の内側面によって遮られて会話の相手に対して飛沫が拡散するのを防げる。また、図２及び図３から分かるようにガード部１の下側は大きく開口した状態となるので、この部分から食べ物や飲み物等を口元に運ぶことは容易にできる。すなわち、フェイスシールド１００を装着しながら、装着者は食事をしつつ、会話を安全に楽しむことができる。さらに、折り曲げ具合を調節することで顔面の丸みや大きさ等に応じてフィット感を調節することもできる。
【００３５】
また、本実施形態のフェイスシールド１００は使用しない場合や収納する場合には、図４に示すように各ガード要素１１の内側面同士を近接させるとともに、各フレーム要素２１同士も近接させることで概略平面状をなすコンパクトな状態に折りたたむことができる。図１及び図４から分かるようにシート状に展開した場合と比較して、折りたたむことにより約１／４程度の面積にすることができる。したがって、フェイスシールド１００を装着せずに携帯したり、ストックとして保管したりする場合にもスペースを取らない。
【００３６】
また、このフェイスシールド１００は１枚の紙で構成できるので、例えば立体形状にする前のシート状態において各部分に印刷を行いやすい。例えばガード部１において外側面となる部分に様々な意匠やブランド名等を印刷してファッション性をさらに高めることができる。
【００３７】
加えて、フェイスシールド１００において飛沫の拡散を防ぐガード部１を含めて１枚の長方形状の紙を折り曲げるだけで構成できるので、例えば３Ｄプリンタ等により複雑な形状を予め形成したＰＥＴシートから組み立てる場合と比較して製造コストを大幅に低減できる。このため、フェイスシールド１００を使い捨てて衛生状態を保ちやすくしたり、ノベルティとして配布したりするといったことにも適している。また、前述したような紙への印刷の容易性や加工のしやすさから、様々なデザイン的な特徴をノベルティとして付与できる。
【００３８】
本考案のその他の使用方法やその他の実施形態について説明する。
【００３９】
図５に示すように本考案のフェイスシールド１００は顔の額部分にフレーム部２を当接させてサンバイザーのように使用しても構わない。また、フレーム部を顔面において唇の下側に当接させてガード部が斜め上方に向かって突出するようにフェイスシールドを装着してもよい。このような装着方法であっても装着者を正面から見た場合には少なくとも口はガード部により覆い隠された状態となり、鼻側については広く開放された状態にできる。したがって、装着者の向かい側にいる会話している相手には飛沫はガード部で遮られるようにでき、フェイスガードの鼻側が開放されているので声は通りやすくできる。さらに、前記実施形態と同様に主に口元部分が遮られているだけの状態となるので、装着者の表情も読み取りやすい。
【００４０】
また、本考案に係るフェイスシールドは紙で構成されるものに限られず、例えばＰＥＴシートやプラスチックシート等のシート状の素材を折り曲げて構成されるものであっても構わない。すなわち、折り曲げ可能なシートによって本考案に係るフェイスシールドは構成されるものであればよい。
【００４１】
ガード部の大きさは口の周囲を覆う程度の物に限られず、例えば鼻と口の周囲すべてを覆うことができるようにしても構わない。
【００４２】
補強部については二重折りでフレーム部に対して当接するようにしていたが、例えば一重折りでもよいし、三重折り以上の多重折りにしてもよい。
【００４３】
その他、本考案の趣旨に反しない限りにおいて様々な変形を行ってもよいし、各変形例の一部同士を組み合わせて新たな実施形態を構成しても構わない。
【符号の説明】
【００４４】
１００・・・フェイスシールド
１    ・・・ガード部
１１  ・・・ガード要素
２    ・・・フレーム部
２１  ・・・フレーム要素
３    ・・・補強部
ＭＦ１・・・第１山折り線
ＭＦ２・・・第２山折り線
ＭＦ３・・・第３山折り線
ＭＦ４・・・第４山折り線
ＶＦ１・・・第１谷折り線
ＶＦ２・・・第２谷折り線
ＶＦ３・・・第３谷折り線
【図１】
0003228753.tif 000003
【図２】
0003228753.tif 000004
【図３】
0003228753.tif 000005
【図４】
0003228753.tif 000006
【図５】
0003228753.tif 000007